(57)【要約】      （修正有）【課題】重荷搬送者の持ち手の負担を軽減させる搬送用補助バンドを提供する。【解決手段】重荷搬送者の持ち手の負担を軽減し得る搬送用補助バンド１０であって、重荷搬送者の腰に巻かれる腰ベルト２１に吊持されるベロ状の把持帯１１から成り、把持帯は、所定の長さと幅を有して基端部１２にベルト通し機能１３を備える脱着手段１４を備えて形成されると共に、表面には滑り止め手段１５が施されている。使用時において、脱着手段を介して把持帯の基端部を重荷搬送者の腰ベルトに吊持すると共に、把持帯の先端部を重荷の把持部へ巻き込む様に被覆させ、把持帯を介して重荷の把持部を握り締めて把持することにより、腰部と持ち手とに重量の分担を図ることができる。【選択図】図１
0003226000.tif 000002
【実用新案登録請求の範囲】
【請求項１】
重荷搬送者の持ち手の負担を軽減させる搬送用補助バンドであって、
前記搬送用補助バンドは、重荷搬送者の腰に巻かれる腰ベルトに吊持されるベロ状の把持帯から成り、
該把持帯は、所定の長さと幅を有して基端部にベルト通し機能を備える脱着手段を備えて形成されると共に、該表面には滑り止め手段が施されて成り、
使用時において、脱着手段を介して前記把持帯の基端部を重荷搬送者の腰ベルトに吊持すると共に、該把持帯の先端部を重荷の把持部へ巻き込む様に被覆させた状態で、該把持帯を介して把持部を握り締めて把持することにより、腰部と持ち手とに重量の分担を図ることができることを特徴とする搬送用補助バンド。
【請求項２】
前記把持帯を先端から基端へロール状に巻いて格納・保持し得る格納保持手段を備えて成ることを特徴とする請求項１記載の搬送用補助バンド。
【考案の詳細な説明】
【技術分野】
【０００１】
本発明は、重荷搬送者の持ち手の負担を軽減させる搬送用補助バンドに関する。
【背景技術】
【０００２】
従来における緊急時の担架搬送など重量物の搬送時においては、重荷搬送者自身の腕と手だけで重量物を把持搬送することになるため、該搬送作業は困難を極めると共に、重労働を強いられるものであった。特に、救急搬送時の現場においては、応急処置や付帯器具などの特殊装置を装着した上で過酷な環境の中で搬送作業を行なわなければならず、その搬送作業を速やか且つ安全に行うには困難さが伴うものであった。
【０００３】
そのような重量物の搬送時における問題点を解決するために、簡易的な構造であることは無論、軽量且つ安価で装着作業並び撤収作業が容易であると共に、重荷搬送者の持ち手の負担を軽減させる搬送用補助バンドの提供が待たれるところである。
【０００４】
従来より、上記問題点を解決すべく、荷役の運搬時に使用する補助具の提案がなされている。例えば、両腕にかかる荷重等の労力軽減と安定性を一輪荷車の利便性を損なうことなく解決し得る「運搬用補助ベルト」（特許文献１）が提案され、公知技術となっている。具体的には、一輪荷車の手押しによる走行を改善し、３本のベルトを具備することによりその牽引による一輪荷車の走行方法を提供するものであって、その構造は、一輪荷車のハンドル付近に各管取り付け具をアイナットで固定し、更に管取り付け具にスプリングフックを取り付け、ハンドルとの間にベルトを可動式にアイナットに結び設け、２本のベルトをリングに通してその両端末を可動式にアジャスタで結び、リングを介した２つの輪を設けて、その輪を各スプリングフックに掛け、運搬作業する際は両肩にベルトを掛け両手でハンドルを持ち立ち上がり、荷重は２本のベルトの張力によりリングは最も安定した所でベルトを対角にし、それにより荷重を分散させ両肩に均等にかける構造を採用するものである。
【０００５】
しかしながら、かかる「運搬用補助ベルト」の提案によれば、走行すると体重は３本のベルトに押しかかり牽引力により前進すると共に、車体の横揺れはリングを通した２本のベルトの張力により暖和されることで、利便性を損なうことなく両腕の労力を軽減し得るものであるが、管取り付け具に装着されているスプリングフックが一輪荷車のハンドルに架けられて、所定の長さの２本のベルトに荷重がかかる構造となっているため、脱着作業が面倒であると共に、管取り付け具が重荷搬送者の腰部近くに位置することで、一輪車の浮き上がりを防止する技術提案に過ぎないものであり、結局のところ重荷搬送者の持ち手の重量負担を軽減させることができないものであった。
【０００６】
また、手荷物である梱包物等の運搬や、宅配業務などのダンボール箱、小荷物などの積み降ろしに際し、頻繁に一般宅に運ぶなどの運搬に適する補助装置である「手荷物運搬用腰ベルト」（特許文献２）が提案され、公知技術となっている。具体的には、腰ベルトの一側部に荷物を載置可能に水平状の受け板を設け、この受け板は非使用時には垂直状に折りたたみ可能とした手荷物運搬補助具であって、腰ベルトはベルトを着脱するための留め金具であるバックルを有して、このバックルの外側面に受け板を折りたたみ可能に支持した支持板を固着し、一方、該バックルの内側下部に荷物を載置した時に発生する重量の反作用を受ける為の当接板を延長して設けた構造を採用するものである。
【０００７】
しかしながら、かかる「手荷物運搬用腰ベルト」の提案は、腰ベルトに装着される支持板が腰ベルトに固定され、搬送物の重量を直接腰に掛けられた受け板及び支持板によって受ける構造となっているため、重量を受け得るだけの強度を備えるために受け板及び支持板にある程度の厚みを要すると共に、該受け板と支持板とは折り畳み得るべく回動可能でありながら、受け板を水平状に保持する強度と構造を要するため、全体構造が複雑になると共に、強度を向上させればさせるほど全体重量もより重くなってしまうものであって、さらには、受け板の折りたたみ忘れにより、重荷その他周囲へ破損・危害を与えることも想定し得る。
【０００８】
本出願人は、重荷搬送者の持ち手の負担を軽減させ得る搬送補助具の提供ができないものかという着想下、軽量且つ堅固であり、安全性が高く操作性並びに携帯性が良く、重荷搬送者の持ち手の負担軽減を実現し得る搬送用補助バンドを開発し、本発明における「搬送用補助バンド」の提案に至るものである。
【先行技術文献】
【特許文献】
【０００９】
【特許文献１】特開２０１６−１８５８０２号公報
【特許文献２】特開２０１３−９１５６６号公報
【考案の概要】
【考案が解決しようとする課題】
【００１０】
本発明は、上記問題点に鑑み、重荷搬送者の持ち手の負担軽減を実現し得る搬送用補助バンドを提供することを課題とする。
【課題を解決するための手段】
【００１１】
上記課題を解決するため、本考案にかかる搬送用補助バンドは、重荷搬送者の持ち手の負担を軽減させるものであって、重荷搬送者の腰に巻かれる腰ベルトに吊持されるベロ状の把持帯から成り、該把持帯は、所定の長さと幅を有して基端部にベルト通し機能を備える脱着手段を備えて形成されると共に、該表面には滑り止め手段が施されて成り、使用時において、脱着手段を介して前記把持帯の基端部を重荷搬送者の腰ベルトに吊持すると共に、該把持帯の先端部を重荷の把持部へ巻き込む様に被覆させた状態で、該把持帯を介して把持部を握り締めて把持することにより、腰部と持ち手とに重量の分担を図ることができる手段を採る。
【００１２】
また、本考案にかかる搬送用補助バンドは、前記把持帯を先端から基端へロール状に巻いて格納・保持し得る格納保持手段を備えて成る手段を採る。
【考案の効果】
【００１３】
本考案にかかる搬送用補助バンドによれば、不使用時と比較して、重荷搬送者の持ち手の負担を五分の一以下に軽減させることができる、といった優れた効果を奏する。
【００１４】
また、本考案にかかる搬送用補助バンドによれば、重荷搬送者の携帯性が良く、軽量且つ堅固であって、さらに安全性が高く操作性にも優れた効果を奏する。
【００１５】
さらに、本考案にかかる搬送用補助バンドによれば、腰ベルトに直接装着した状態で収納且つ携帯できる、といった優れた効果を奏する。
【図面の簡単な説明】
【００１６】
【図１】本発明にかかる搬送用補助バンドの実施形態を示す説明図である。（実施例１）
【図２】本発明にかかる搬送用補助バンドの使用状態を示す説明図である。
【図３】本発明にかかる搬送用補助バンドの他の実施形態を示す説明図である。（実施例２）
【考案を実施するための形態】
【００１７】
本考案は、重荷搬送者の持ち手の負担を軽減させる搬送用補助バンド１０であって、重荷搬送者の腰に巻かれる腰ベルト２１に吊持されるベロ状の把持帯１１から成り、該把持帯１１は、所定の長さと幅を有して基端部１２にベルト通し機能１３を備える脱着手段１４を備えて形成されると共に、該表面には滑り止め手段１５が施されて成り、使用時において、脱着手段１４を介して把持帯１１の基端部１２を重荷搬送者の腰ベルト２１に吊持すると共に、該把持帯１１の先端部を重荷の把持部２３へ巻き込む様に被覆させた状態で、該把持帯１１を介して把持部２３を握り締めて把持することにより、腰部と持ち手とに重量の分担を図ることができることを最大の特徴とする。
以下、本考案にかかる搬送用補助バンド１０の実施形態を、図面に基づいて説明する。
【００１８】
尚、本考案にかかる搬送用補助バンド１０は、以下に述べる実施例に限定されるものではなく、本考案の技術的思想の範囲内、すなわち同一の作用効果を発揮できる構造の範囲内で、適宜変更することができる。
【実施例１】
【００１９】
図１は、本考案にかかる搬送用補助バンド１０の実施形態を示す説明図であり、（ａ）は全体図、（ｂ）は使用状態図である。
本考案にかかる搬送用補助バンド１０は、重荷搬送者の腰に巻かれる腰ベルト２１に吊持されるベロ状の把持帯１１から成る。
【００２０】
把持帯１１は、腰ベルト２１に吊持される所定の長さと幅（具体的には長さ４７ｃｍ、幅９ｃｍ、厚み１ｍｍ）を有したベロ状の形状に形成されて成り、素材については限定するものではないが、例えば消防ホース布や皮革、ゴム等の強靭性合成樹脂素材を採用し得る。
【００２１】
該把持帯１１の基端部１２には、ベルト通し機能１３を備える脱着手段１４が備えられている。ベルト通し機能１３とは、重荷搬送者の腰ベルト２１に吊持させるための環状構造であって、把持帯１１の基端部１２において脱着手段１４により部分的に環状に形成される箇所である。
【００２２】
脱着手段１４の具体的構造については、腰ベルト２１に吊持させ得る構造であれば特に限定はなく、例えば図示の様なベルト通しリング１７を備えて、腰ベルト２１を挟んでベルト通しリング１７にベロ状の把持帯１１の先端を通して吊持する態様のほか、図示されていないが、バックル様の結束構造により腰ベルト２１を挟持して吊持する態様が考え得る。この様に、ベルト通しリング１７に把持帯１１の先端を通したり、バックル様の結束構造により、環状のベルト通し機能１３が形成される。
【００２３】
把持帯１１には、図示の様に、括れ部１８を形成することが好ましい。該括れ部１８は、使用状態において、ひねりや傾き荷重がかかった時、ベルト通しリング１７との当接部に集中的に荷重がかかるのを防止するために把持帯１１の両側に設けられる凹部である。かかる機能を奏するため、該括れ部１８は、把持帯１１を腰ベルト２１に吊持した際における該腰ベルト２１の直下位置近傍に形成される。
【００２４】
把持帯１１の表面には、滑り止め手段１５が施されている。該滑り止め手段１５の具体的構造については、特に限定はなく、例えば表面にエンボス加工を施したり、あるいは、把持体１１の素材自体をゴム等の滑り難い素材で成形したり、あるいは、表面に滑り止めコーティング剤を塗布したりするなどによって達成される。
【００２５】
以上の構成から成る本考案にかかる搬送用補助バンド１０は、脱着手段１４を介して把持帯１１の基端部１２を重荷搬送者の腰ベルト２１に吊持し、該把持帯１１の先端部を重荷の把持部２３へ巻き込む様に被覆させた状態で、該把持帯１１を介して把持部２３を握り締めて把持することにより、腰部（腰ベルト２１）と持ち手とに重量の分担を図ることが可能であって、不使用時に比較して重荷搬送者の持ち手の負担が概ね五分の一以下に軽減させることが可能となる。
【００２６】
次に、本考案にかかる搬送用補助バンド１０の使用態様について説明する。図２は、本考案にかかる搬送用補助バンド１０の使用状態を示す説明図である。
搬送用補助バンド１０の装着手順は以下のとおりである。
（１）把持帯１１の基端部１２を腰ベルト２１の内側へ位置させる。
（２）基端部１２に設けられるベルト通しリング１７にベロ状の把持帯１１の先端を通すことで、環状のベルト通し機能１３を形成し、該ベルト通し機能１３により腰ベルト２１に吊持させる。
以上で装着は完了する。
【００２７】
搬送用補助バンド１０の使用態様は以下のとおりである。
（１）搬送物の把持部２３にベロ状の把持帯１１の先端を巻き込む様に被覆させる。
（２）把持帯１１が巻かれた状態の搬送物の把持部２３を持ち手で把持し、該搬送物を持ち上げ、目的箇所へ搬送する。
（３）目的箇所にて搬送物を降ろし、持ち手を緩めて離し、把持帯１１の先端を搬送物の把持部２３から外して、搬送完了となる。
【００２８】
以上の使用態様によれば、本考案にかかる搬送用補助バンド１０は、図に示される様に、搬送物の重量について腰ベルト２１と把持帯１１の握り部に二分され、搬送者の持ち手の負担が軽減されることとなる。
【実施例２】
【００２９】
本考案の他の実施例について説明する。上記実施例１と同様の構成については、説明を省略する。
図３は、本考案にかかる搬送用補助バンド１０の他の実施形態を示す説明図であり、（ａ）は全体図（裏面）、（ｂ）及び（ｃ）は格納保持状態を示している。
本考案にかかる搬送用補助バンド１０は、把持帯１１を先端から基端へロール状に巻いて格納・保持し得る格納保持手段１６が備えられている。
【００３０】
格納保持手段１６は、所定長さを有する帯状物であって、搬送用補助バンド１０の所定箇所、好ましくは裏面に設けられる。該格納保持手段１６は、把持帯１１をロール状に巻いた状態で保持するもので、ロール状の把持帯１１を保持し得る格納・保持バンド１９と、該格納・保持バンド１９の先端を係止可能な固着ボタン２０とによって構成される。
【００３１】
かかる格納保持手段１６が存することによって、不使用時に把持帯１１を先端から基端へロール状に巻いて、格納・保持バンド１９により結束し、該格納・保持バンド１９の先端に存する固着ボタン２０により係止することが可能となる。
【００３２】
以上のとおり構成される本考案にかかる搬送用補助バンド１０は、重荷搬送者の携帯性が良く、軽量且つ堅固であって、安全性が高く操作性が向上すると共に、腰ベルト２１に直接装着して収納且つ携帯できる搬送用補助バンド１０の提供が可能となる。
【産業上の利用可能性】
【００３３】
本考案にかかる搬送用補助バンドは、人手による重量物の搬送に関する分野全般に利用することが可能であって、不使用時に比較して重荷搬送者の持ち手の負担が概ね五分の一以下に軽減させることが可能であることから「搬送用補助バンド」の産業上の利用可能性は極めて大であるものと思料する。
【符号の説明】
【００３４】
１０    搬送用補助バンド
１１    把持帯
１２    基端部
１３    ベルト通し機能
１４    脱着手段
１５    滑り止め手段
１６    格納保持手段
１７    ベルト通しリング
１８    括れ部
１９    格納・保持バンド
２０    固着ボタン
２１    腰ベルト
２２    担架
２３    把持部
【図１】
0003226000.tif 000003
【図２】
0003226000.tif 000004
【図３】
0003226000.tif 000005
【手続補正書】
【提出日】令和2年2月10日(2020.2.10)
【手続補正１】
【補正対象書類名】実用新案登録請求の範囲
【補正対象項目名】請求項１
【補正方法】変更
【補正の内容】
【請求項１】
重荷搬送者の持ち手の負担を軽減させる搬送用補助バンドであって、
前記搬送用補助バンドは、重荷搬送者の腰に巻かれる腰ベルトに吊持されるベロ状の把持帯から成り、
該把持帯は、所定の長さと幅を有して基端部にベルト通し機能を備える脱着手段を備えて形成されると共に、該把持帯の表面には滑り止め手段が施されて成り、
使用時において、脱着手段を介して前記把持帯の基端部を重荷搬送者の腰ベルトに吊持すると共に、該把持帯の先端部を重荷の把持部へ巻き込む様に被覆させた状態で、該把持帯を介して把持部を握り締めて把持することにより、腰部と持ち手とに重量の分担を図ることができることを特徴とする搬送用補助バンド。